(57)【要約】【課題】列車等の移動体と無線通信区間で接続される固定電話網間の音声通信において、通話中の列車が無線基地局間を移動する際に、移動体側で音声を途切れずに受信すること。【解決手段】  列車等の軌道上を移動する移動体が通話で使用する音声チャネルを予め次に進入する無線基地局において予約しておき、次基地局に向けて現在線基地局ゾーンで送出している音声信号を流しておくことで、移動体が次基地局へ進入したと同時に音声信号の受信を可能とする。【選択図】  図5
2008263464.tif 000002
【特許請求の範囲】
【請求項１】
長距離を線的に高速移動する移動体と固定通信網との間で音声通信を行う移動通信方法であって、該移動体の進行方向のエリアを複数のゾーンに分割し、移動体の存在するゾーンより進行方向の複数ゾーンの音声チャネルと、反対方向の１ゾーンの音声チャネルとを閉塞しておき、さらに前方進行方向の１ゾーンに移動体が存在するゾーンと同様の音声を前もって流しておくことを特徴とする移動体通信方法。
【請求項２】
長距離を線的に高速移動する移動体と、該移動体を現在収容している基地局と、前記基地局を含む移動体通信網と公衆電話網との接続、交換を行なうとともに、移動体通信網の基地局を統括する統制局電話交換機とを有する通信システムであって、
前記統制局電話交換機は、前記移動体の進行方向のエリアを基地局がカバーするエリア単位に複数のゾーンに分割し、移動体の存在するゾーンより進行方向の複数ゾーンの音声チャネルと、反対方向の１ゾーンの音声チャネルとを閉塞しておき、さらに前方進行方向の１ゾーンに移動体が存在するゾーンと同様の音声を前もって流しておくよう制御することを特徴とする通信システム。
【発明の詳細な説明】
【技術分野】
【０００１】
本発明は軌道上を線的に移動する移動体と呼の接続通信を行う移動体通信に係り、特に、通話中の移動体が基地局間を移動した際に、地上電話網より送出される音声信号を移動体側で途切れることなく受信する移動体通信制御に関する。
【背景技術】
【０００２】
新幹線等の進行速度の速い列車の移動体―地上間の通話では、基地局が管轄する無線区間におけるハンドオーバが生じる度に移動先の無線基地局において空き音声チャネルを検索し、回線を切替える処理を行うと、その時間に列車が長距離を移動してしまい、移動体側では無音の発生または回線切断となってしまう可能性がある。そのため無線基地局を複数管轄する統制局では、使用中の音声チャネルを前もって次無線基地局(以下、基地局)で予約(閉塞)しておき、列車の移動先基地局において列車の進入を検知すると、予め予約されている回線に切替え、該音声チャネルを用いて通話を継続させることで回線切断を回避する技術が特許文献１に開示されている。
【０００３】
【特許文献１】特開平3-185938号公報
【発明の開示】
【発明が解決しようとする課題】
【０００４】
しかし、列車が基地局間を移動した際、統制局が移動前基地局との間の回線を移動先基地局と
の間の回線へ切替えている間は微小な時間であるが、移動体内の電話機を使用する通話者には無音として受聴される時間が存在する。さらにこの問題は、統制局管轄基地局間を列車が移動した際には統制局間の回線も切替えるため、同一統制局管轄内基地局間の移動に比べ、さらに長い時間無音として受聴されるという問題がある。
【０００５】
本発明は、上記課題を解決するためになされたもので、進行速度の速い列車の移動体―地上間の通話において通話の途切れを極小化し、音声信号が移動体側で受信できるまでの音声の無音時間を短縮できる無線通信システムを提供することを目的とする。
【課題を解決するための手段】
【０００６】
上記課題を解決するため、統制局では列車等の移動体進行方向の次基地局ゾーンへ回線を接続しておき、予め該移動体が使用している音声チャネルを使用して音声信号を次基地局ゾーンにも同様に流すことにより、移動体が次基地局ゾーンへ移動しても移動体側で音声を途切れること無く受信可能とする。従って、基地局間、統制局間を移動体が移動したとしても列車内端末からは音声は途切れることなく、より高品質なサービスを提供可能とする。
【発明の効果】
【０００７】
統制局において通話中の移動局が次基地局ゾーンへ移動することを認識後、通話回線を切替え、音声信号が移動体側で受信できるまでの音声の無音時間を短縮できることが効果となる。
また、本発明は線的に移動する移動体と固定電話網間の通話の開始から終了まで同一チャネルを用いて通話を行い、且つ次に進入する無線基地局ゾーンにて該音声チャネルを閉塞している音声通信方法には通話の途切れを極小化する効果がある。
【発明を実施するための最良の形態】
【０００８】
以下本発明の一実施例をさらに詳細に説明する。
【０００９】
第1図は、本発明を適用する移動体通信方法の一部を示すブロック構成図である。
第１図において、1は列車等の移動体、2は無線回線を含む伝送路3と通話をする移動体1が自己の電波ゾーン内に存在する基地局4とを介して、移動体1内にある移動局11と鉄道会社電話網5及び公衆電話網6の間を交換、接続し、複数の基地局を統括する統制局電話交換機、7は鉄道会社電話網5に加入している電話機であり、8は公衆電話網に加入している電話機である。また、9は移動体が通話中に統制局管轄間を移動した際に通話を継続させるために用いる追跡回線である。なお、移動局11は、業務電話機12及び公衆電話機13を収容する。
【００１０】
第2図は、従来方法(特開平3-185938)において地上電話網と通話中の移動体1が統制局Ａ管轄内の基地局Ａゾーンに存在し、その後通話状態のまま該統制局管轄内の基地局Ｂゾーンへ移動した際の通話継続手順を示すシーケンスである。
以下、手順を詳細に説明する。第2図のシーケンスでは、移動局及び地上電話網は省略してあるが、地上電話網と統制局間の音声信号は同一の信号が送受信されるものとし、また移動局２と基地局Ａ及び基地局Ｂとの間の音声信号も同一の信号が流れることとする(以降、第3図、第4図、第5図も同様)。
【００１１】
まず、統制局は移動体1と地上電話網との間の呼を受付けると(第2図 6)、制御チャネル4を使用して基地局Ａへ全閉塞信号7を、同様に基地局Ｂへ全閉塞信号8を送出し、通話で使用する音声チャネル5を他の移動体において使用不可とする。その後、移動体内の移動局2と統制局において通話前の制御情報の送受信を行い(第2図 9)、通話状態へ移行する。通話開始後、基地局Ａは移動体1からの音声信号10を受信している間、制御チャネル4を使用し、移動体1において音声チャネル5を使用中であることを示す話中信号11を統制局へ送出する。この時、基地局Ｂゾーンは全閉塞ゾーンとなっており、通話中の移動体１が基地局Ｂゾーンへ移動することを考慮し、基地局Ｂゾーンで移動体1からの話中信号12を常時監視している。その後、移動体1が基地局Ａゾーンから基地局Ｂゾーンに移動した場合(第2図 3)、統制局は基地局Ｂから音声信号及び話中信号12を受信するので、移動体1が基地局Ｂゾーンへ移動したと見なし、統制局は基地局Ｂへ回線を切替える(第2図 13)。回線を切替えると同時に音声信号14が統制局から基地局Ｂへ送出され、移動体1に音声信号が届く。しかし、移動体1内の移動局2では、基地局Ｂゾーンへ移動後、統制局が基地局Ｂへ移動したことを認識し、回線を切替え、音声信号14が移動局2において受信するまでは移動体1内の電話機では無音ととして受聴される(第2図 15)。
【００１２】
第3図は、通話中の移動体が同一統制局管轄内の基地局間を移動する際、本発明を実現するシーケンス図であり、第3図を用いて詳細を説明する。
まず、統制局は移動体1と地上電話網間の呼を受付けると(第3図 6)、制御チャネル4を使用して基地局Ａへ全閉塞信号7を、基地局Ｂへ全閉塞信号8を送出する。この時、統制局から基地局Ｂへの回線を接続し、基地局Ａへ送出する音声信号を基地局Ｂへ送出できるよう準備する(第3図 9)。その後、移動体内の移動局2と統制局において通話前の制御情報の送受信を行い(第3図 10)、通話を開始する。次に、統制局では地上網からの音声信号を受信すると共に、基地局Ａ及び基地局Ｂへ音声信号を送出する(第3図 11、12)。また、基地局Ａは移動局2からの音声信号を統制局へ送出するとともに、話中信号を送出する(第3図 13)。その後、移動体1が基地局Ａゾーンから基地局Ｂゾーンへ移動すると同時に、移動局2では音声チャネル5において地上電話網からの音声信号を受信できるので、音声信号が無音となることが殆どなく、音声信号を受信できる(第3図 14)。また、基地局Ｂは移動局2からの音声信号を受信すると同時に統制局へ話中信号を送出するので、統制局では移動体1が基地局Ｂへ移動したことを認識する(第3図 15)。
【００１３】
第4図は、従来方法において、地上電話網と通話中の移動体が異なる統制局管轄の基地局間を移動した際の音声通信継続手順を示すシーケンスであり、詳細に説明する。
まず、統制局Ａは移動体1と地上電話網間の呼を受付けると(第4図 6)、制御チャネル4を使用して基地局Ａへ全閉塞信号7を、統制局Ｂへ閉塞指示信号(全閉塞)8を送出する。閉塞指示信号8を受信した統制局Ｂは基地局Ｂに対して音声チャネル5を使用不可とするため、全閉塞信号9を送信する。その後、統制局と移動局2の間の通話前制御を基地局Ａを介して行い、通話状態へ遷移する(第4図 10)。通話状態へ遷移すると同時に、統制局Ａは地上電話網からの音声信号11を基地局Ａへ送出し、基地局Ａは移動局2から音声信号及び話中信号を統制局Ａへ送出する。次に、移動体1が統制局Ｂ管轄の基地局Ｂゾーンへ移動すると、統制局Ｂは基地局Ｂから音声チャネル5において音声信号を受信するので、話中信号13を統制局Ｂへ送出する。話中信号を受信した統制局Ｂは統制局間の音声追跡を行うため、統制局Ａへ追跡回線を用いて追跡指示信号14を送出する。統制局Ａでは追跡指示信号14を受信すると、移動体1が統制局Ｂ管轄ゾーンへ移動したと見なし、統制局Ｂと音声通話をするため、追跡回線を接続する(第4図 16)とともに追跡確認信号17を統制局Ｂへ送出する。統制局Ｂでは追跡確認信号17を受信すると、統制局Ａとの音声回線の準備ができたと判断し、基地局Ｂからの音声信号19を統制局Ａへ送出する。以上により音声通話を継続している。しかし本シーケンスにおいて、移動体1内の電話機を使用する通話では、統制局Ｂが基地局Ｂから話中信号を受信し、統制局Ａへ追跡指示し、統制局間の回線が接続され、統制局Ａからの音声信号18を受信するまでは無音として受聴される。
【００１４】
第5図は地上電話網と通話中の移動体が異なる統制局管轄の基地局間を移動した際、本発明を適用した手順を示すシーケンスであり、詳細に説明する。
まず、統制局Ａは移動体1と地上電話網間の呼を受付けると(第5図 6)、制御チャネル4を使用して基地局Ａへ全閉塞信号7を、統制局Ｂへ閉塞指示信号(全閉塞)8を送出し、統制局Ｂへの追跡回線を接続し、音声チャネル5を用いて統制局Ｂへ音声信号を送出できる準備をする(第5図 10)。次に、閉塞指示信号8を受信した統制局Ｂは、基地局Ｂへ全閉塞信号9を送信すると共に、基地局Ｂへの回線を接続し、音声信号を流せるように準備する(第5図 11)。その後、閉塞指示信号8を送出した統制局Ａは基地局Ａを通じて移動局2と通話前の制御を行い(第5図 10)、通話状態へ遷移する。通話状態へ遷移すると、統制局Ａは基地局Ａへ音声信号11を送出すると共に、既に接続してある統制局Ｂへの追跡回線へ音声信号13を流す。統制局Ａから音声信号13を受信した統制局Ｂは基地局Ｂへ向けて音声信号13を流す。また、移動局2からの音声信号14を中継する基地局Ａでは、話中信号14を統制局Ａへ送出し、移動体1と地上電話網は通話する。その後、移動体1が統制局Ａ管轄の基地局Ａゾーンから統制局Ｂ管轄の基地局Ｂゾーンへ移行する(第5図 3)と、基地局Ｂでは移動局2からの音声信号を受信する。
【００１５】
音声信号15を受信した基地局Ｂは音声信号と共に話中信号を統制局Ｂへ送出する。その後、音声信号15を受信した統制局Ｂは音声信号を統制局Ａへ中継し(第5図 16)、移動体1と地上電話網との間の通話を継続する。
【図面の簡単な説明】
【００１６】
【図１】本発明の一実施例を示す移動体通信システムのブロック図である。
【図２】従来方法において、通話中の移動体が同一統制局管轄内基地局間を移動する際の音声通話の継続方法を示すシーケンス図である。
【図３】本発明において通話中の移動体が同一統制局管轄内基地局間を移動する際の音声通話の継続方法を示すシーケンス図である。
【図４】従来方法において、通話中の移動体が異なる統制局管轄の基地局間を移動する際の音声通話継続手法を示すシーケンス図である。
【図５】本発明において、通話中の移動体が異なる統制局管轄の基地局間を移動する際の音声通話継続手法を示すシーケンス図である。
【符号の説明】
【００１７】
1・・・移動体、11・・・移動局、111・・・プロセッサ、112・・・メモリ、12・・・業務電話機、13・・・公衆電話機、2・・・統制局電話交換機、21・・・プロセッサ、22・・・メモリ、3・・・伝送路、4・・・基地局、5・・・鉄道会社電話網、6・・・公衆電話網、7・・・鉄道会社業務電話機、8・・・一般電話機、9・・・追跡回線。
【図１】
2008263464.tif 000003
【図２】
2008263464.tif 000004
【図３】
2008263464.tif 000005
【図４】
2008263464.tif 000006
【図５】
2008263464.tif 000007